(57)【要約】【課題】白髪の１本〜複数本程度の部分的な染毛、並びに、グラデーションとなるように染める領域ごとに髪の毛を多色に染め分ける等の塗布作業、および、毛髪の１本〜複数本程度の部分的な脱色剤塗布が容易にできる毛髪用塗布具を提供する。【解決手段】毛髪用塗布液を貯留する貯留部を有する塗布具本体１０と、該塗布具本体１０の先端に設けられた毛髪狭持部２１を備える多孔質塗布体２０と、該多孔質塗布体２０を被覆する先軸被覆体３０と、を備える毛髪用塗布具Ａであって、該先軸被覆体３０が開口し、少なくとも該毛髪狭持部２１が露出していることを特徴とする毛髪用塗布具。【選択図】図１
2013215320.tif 000002
【特許請求の範囲】
【請求項１】
毛髪用塗布液を貯留する貯留部を有する塗布具本体と、該塗布具本体の先端に設けられた毛髪狭持部を備える多孔質塗布体と、該多孔質塗布体を被覆する先軸被覆体と、を備える毛髪用塗布具であって、該先軸被覆体が開口し、少なくとも該毛髪狭持部が露出していることを特徴とする毛髪用塗布具。
【請求項２】
前記毛髪狭持部は切れ込みであって、この切れ込みは、前記塗布具本体の軸方向に対し交差することを特徴とする請求項１に記載の毛髪用塗布具。
【請求項３】
前記毛髪狭持部は切れ込みであって、この切れ込みは、前記塗布具本体の軸方向に対し平行であることを特徴とする請求項１に記載の毛髪用塗布具。
【請求項４】
前記先軸被覆体の開口に、前記毛髪狭持部へのガイド部が設けられていることを特徴とする請求項１〜３の何れか一項に記載の毛髪用塗布具。
【請求項５】
前記先軸被覆体が開口し、前記毛髪狭持部が露出している前記多孔質塗布体表面に、前記毛髪狭持部へのガイド部が設けられていることを特徴とする請求項１〜４の何れか一項に記載の毛髪用塗布具。
【請求項６】
前記先軸被覆体は、前記多孔質塗布体先端部を被覆することを特徴とする請求項１〜５の何れか一項に記載の毛髪用塗布具。
【請求項７】
前記毛髪狭持部は前記多孔質塗布体に複数設けられていることを特徴とする請求項１〜６の何れか一項に記載の毛髪用塗布具。
【請求項８】
前記塗布具本体の先端にはキャップ体が嵌着され、少なくとも前記毛髪狭持部が覆われることを特徴とする請求項１〜７の何れか一項に記載の毛髪用塗布具。
【請求項９】
前記毛髪用塗布液を貯留する貯留部内部には、多孔質の液体吸蔵部材が収容されていることを特徴とする請求項１〜８の何れか一項に記載の毛髪用塗布具。
【請求項１０】
前記多孔質塗布体の気孔率が７０〜８５％の範囲にあることを特徴とする請求項９に記載の毛髪用塗布具。
【請求項１１】
前記塗布具本体には、貯留部内部の毛髪用塗布液を加圧する液押圧手段を具備し、該液押圧手段の押圧により毛髪用塗布液を先端の多孔質塗布体へと供給するようにしたことを特徴とする請求項１〜８の何れか一項に記載の毛髪用塗布具。
【発明の詳細な説明】
【技術分野】
【０００１】
本発明は、染めたい髪の毛、例えば、白髪の１本〜複数本程度の部分的な染毛や、グラデーションとなるように染める領域ごとに髪の毛を多色に染め分ける等、および、毛髪の１本〜複数本程度の部分的な脱色剤塗布が容易にできる毛髪用塗布具に関する。
【背景技術】
【０００２】
従来より、白髪が黒髪中に１本又は複数本程度あると、非常に目立つ場合があり、そのため、１本〜複数本の白髪などを手軽に染毛できるようにした部分的な染毛に好適な毛髪用塗布具が知られている。
【０００３】
例えば、１）内部にカラー剤を流通させるための流通路が形成された中空の筒形状をなすノズル本体の先端に一対の開口溝を配置したことを特徴とする毛髪等の変色用ノズル（例えば、特許文献１参照）、２）染毛又は脱色用液剤が充填された小型容器を着脱自在に装着するピンセット状挟持具と、該ピンセット状挟持具の先端部に設けられた剤保持部と、該剤保持部に前記小型容器から染毛又は脱色用液剤を送液する導管とを備えた染毛用具（例えば、特許文献２参照）、３）髪の毛に染料を塗布する器具であって、目標の髪の毛１本だけに対して、ピンセット状等の塗布具本体の先端などに塗布体を設け、ピンセット状の塗布具本体で染めたい髪の毛を塗布体に挟んで塗布する染毛用塗布具、または、塗布具本体内に塗布液貯留室を設けると共に、塗布具本体に設けたボタンを押すことにより、染めたい髪の毛を塗布体に挟んで塗布することができる染毛用塗布具（例えば、特許文献３参照）が知られている。
【０００４】
しかしながら、上記特許文献１の毛髪等の変色用ノズルでは、染毛の作業中は、充填容器からノズルまで、適量の染毛料を吐き出し続けさせなければならず、毛束をしっかり挟み込んでいないので、確実に染毛させることができないなどの課題がある。
上記特許文献２の染毛用具では、構造的に染毛料等の直流が起きる恐れが大で、染毛料等をタレ流し続ける構造であり、好適な量となる染毛料等を流出できないなどの課題がある。
上記特許文献３の染毛用塗布具において、ピンセット状等の塗布具本体を用いたものでは、塗布体に塗布ごとに塗布液を付着する形態となるため、付着作業、塗布作業が煩雑となる課題があるものである。また、塗布具本体に設けたボタンを押すことにより塗布する構造となるものでは、塗布液貯留室から塗布体までの流出構造が具体的でなく、好適な量となる染毛料等を流出できないなどの課題があるものである。
【先行技術文献】
【特許文献】
【０００５】
【特許文献１】特開平１０−２９０７１２号公報（特許請求の範囲、実施例等）
【特許文献２】特開２００３−３１０３３７号公報（特許請求の範囲、実施例等）
【特許文献３】特開２００２−１８６５１５号公報（特許請求の範囲、実施例等）
【発明の概要】
【発明が解決しようとする課題】
【０００６】
本発明は、上記従来技術の課題等に鑑み、これを解消しようとするものであり、白髪などの１本〜複数本程度の部分的な染毛、並びに、グラデーションとなるように染める領域ごとに髪の毛を多色に染め分ける染毛等の塗布作業が容易にできると共に、好適な量となる染毛料を染めたい髪の毛にしっかりと塗布することができる毛髪用塗布具の提供、並びに、毛髪の１本〜複数本程度の部分的な脱色剤塗布が容易にできる毛髪用塗布具を提供することを目的とする。
【課題を解決するための手段】
【０００７】
本発明者は、上記従来の課題等に鑑み、鋭意研究を行った結果、毛髪用塗布液を貯留する貯留部を有する塗布具本体と、該塗布具本体の先端に設けられた特定構造の多孔質塗布体と、該多孔質塗布体を被覆する特定構造の先軸被覆体と、を備えることにより、上記目的の毛髪用塗布具が得られることを見い出し、本発明を完成するに至ったのである。
【０００８】
すなわち、本発明は、次の（１）〜（１１）に存する。
（１）  毛髪用塗布液を貯留する貯留部を有する塗布具本体と、該塗布具本体の先端に設けられた毛髪狭持部を備える多孔質塗布体と、該多孔質塗布体を被覆する先軸被覆体と、を備える毛髪用塗布具であって、該先軸被覆体が開口し、少なくとも該毛髪狭持部が露出していることを特徴とする毛髪用塗布具。
（２）  前記毛髪狭持部は切れ込みであって、この切れ込みは、前記塗布本体の軸方向に対し交差することを特徴とする上記（１）に記載の毛髪用塗布具。
（３）  前記毛髪狭持部は切れ込みであって、この切れ込みは、前記塗布具本体の軸方向に対し平行であることを特徴とする上記（１）に記載の毛髪用塗布具。
（４）  前記先軸被覆体の開口に、前記毛髪狭持部へのガイド部が設けられていることを特徴とする上記（１）〜（３）の何れか一項に記載の毛髪用塗布具。
（５）  前記先軸被覆体が開口し、前記毛髪狭持部が露出している前記多孔質塗布体表面に、前記毛髪狭持部へのガイド部が設けられていることを特徴とする上記（１）〜（４）の何れか一項に記載の毛髪用塗布具。
（６）  前記先軸被覆体は、前記多孔質塗布体先端部を被覆することを特徴とする上記（１）〜（５）の何れか一項に記載の毛髪用塗布具。
（７）  前記毛髪狭持部は前記多孔質塗布体に複数設けられていることを特徴とする上記（１）〜（６）の何れか一項に記載の毛髪用塗布具。
（８）  前記塗布具本体の先端にはキャップ体が嵌着され、少なくとも前記毛髪狭持部が覆われることを特徴とする上記（１）〜（７）の何れか一項に記載の毛髪用塗布具。
（９）  前記毛髪用塗布液を貯留する貯留部内部には、多孔質の液体吸蔵部材が収容されていることを特徴とする上記（１）〜（８）の何れか一項に記載の毛髪用塗布具。
（１０）  前記多孔質塗布体の気孔率が７０〜８５％の範囲にあることを特徴とする上記（９）に記載の毛髪用塗布具。
（１１）  前記塗布具本体には、貯留部内部の毛髪用塗布液を加圧する液押圧手段を具備し、該液押圧手段の押圧により毛髪用塗布液を先端の多孔質塗布体へと供給するようにしたことを特徴とする上記（１）〜（８）の何れか一項に記載の毛髪用塗布具。
【発明の効果】
【０００９】
本発明によれば、白髪などの１本〜複数本程度の部分的な染毛、並びに、グラデーションとなるように染める領域ごとに髪の毛を多色に染め分ける染毛等の塗布作業が手を汚さずに、染毛料を不要に消費することなく、容易にできると共に、好適な量となる染毛料を染めたい髪の毛にしっかりと塗布することができる毛髪用塗布具が得られるという特有の効果を奏する。また、毛髪の１本〜複数本程度の部分的な脱色剤塗布が容易にできる毛髪用塗布具が得られるという特有の効果を奏する。
【図面の簡単な説明】
【００１０】
【図１】本発明の毛髪用塗布具の実施形態の一例を示すものであり、（ａ）は正面図、（ｂ）は縦断面図、（ｃ）は塗布体部分を拡大した部分拡大正面図、（ｄ）は（ｃ）の縦断面図、（ｅ）は斜視図である。
【図２】図１の毛髪用塗布具にキャップ体を被覆した状態を示す一例であり、（ａ）は正面図、（ｂ）は縦断面図、（ｃ）は斜視図である。
【図３】本発明の毛髪用塗布具の実施形態の他例を示すものであり、（ａ）は正面図、（ｂ）は縦断面図、（ｃ）は塗布体部分を拡大した部分拡大正面図、（ｄ）は（ｃ）の縦断面図、（ｅ）は斜視図である。
【発明を実施するための形態】
【００１１】
以下に、本発明の実施形態を図面を参照しながら詳しく説明する。
図１は、本発明の毛髪用塗布具の実施形態の一例を示すものであり、（ａ）は正面図、（ｂ）は縦断面図、（ｃ）は塗布体部分を拡大した部分拡大正面図、（ｄ）は（ｃ）の縦断面図、（ｅ）は斜視図であり、図２は、図１の毛髪用塗布具にキャップ体を被覆した状態を示す一例であり、（ａ）は正面図、（ｂ）は縦断面図、（ｃ）は斜視図である。
【００１２】
この実施形態の毛髪用塗布具Ａは、図１及び図２に示すように、毛髪用塗布液を貯留する貯留部１１を有する塗布具本体１０と、該塗布具本体１０の先端に設けられた毛髪狭持部２１を備える多孔質塗布体２０と、該多孔質塗布体２０を被覆する先軸被覆体３０とを有している。
【００１３】
塗布具本体１０は、例えば、熱可塑性樹脂、熱硬化性樹脂、エラストマー等で形成されるものであり、先端側に先軸被覆体３０を嵌合等により固着する先軸部１２を有している。また、先軸被覆体３０にも上記先軸部１２と固着するための固着部３１を有している。
また、塗布具本体１０の内部となる液体の染毛料を貯留する貯留部１１には、多孔質の液体吸蔵部材１３、本実施形態では円柱状の液体吸蔵部材１３が収容されている。この液体吸蔵部材１３は、液体の染毛料を吸蔵するものであり、多孔質材料から構成されるものであれば、特に限定されず、例えば、繊維束の熱融着加工体、繊維束の樹脂加工体、フェルトの樹脂加工体、フェルトの熱融着加工体、フェルトのニードルパンチ加工体、合成樹脂製連続気泡体、各種のプラスチック粉末などを融結したポーラス体等により構成することができる。該液体吸蔵部材１３の気孔率は、該液体吸蔵体１３から液体染毛料を効率良く多孔質塗布体に供給できる構造となるものであれば良く、好ましくは、８５〜９５％の範囲とすることが望ましい。なお、本発明で規定する気孔率とは、吸蔵体全体の容積に対して気孔がどれくらいかを表す量であり、吸蔵体全体の容積をＶ１、気孔の容積をＶ２とすれば、１００×（Ｖ２／Ｖ１）で表すことができる。
【００１４】
上記塗布具本体１０内に収容された液体吸蔵部材１３は、その後端部が塗布具本体１０の後端部側から嵌合等により固着される塗布具本体１０と同一素材又は別の樹脂等素材にて成形される尾栓１４、本実施形態では尾栓１４に一体的に設けられる筒状支持片１５により封止される構造となっている。
【００１５】
上記液体吸蔵部材１３に吸蔵される液体染毛料としては、使用用途（白髪染め、カラー染め、グラデーション染め）等により好適な配合組成、粘度とすることができ、特に限定されるものでなく、種々の公知、市販の液体染毛料を使用することができる。
【００１６】
多孔質塗布体２０は、上記液体吸蔵部材１３と同様の多孔質材料から構成することができ、該多孔質塗布体２０の気孔率は、液体吸蔵体１３から液体染毛料を効率良く多孔質塗布体に供給できる構造となるものであれば良く、好ましくは、７０〜８５％の範囲とすることが望ましい。
【００１７】
また、多孔質塗布体２０は、その先端側に、少なくとも毛髪狭持部２１を備えている。
この毛髪狭持部２１は、多孔質塗布体２０に形成した切れ込み（スリット）であって、該切れ込みは、例えば、前記塗布具本体１０の軸方向に対し交差する構造、または、軸方向に対し平行となる構造とすることができる。本実施形態では、軸方向に対し平行となる構造となっている。
この切れ込みの深さ、幅などの大きさは、染めたい髪の毛の本数等により、適宜の大きさにでき、例えば、１本〜５本程度では、深さ０．１〜３ｍｍ、幅０〜１ｍｍ程度とすることができる。幅０ｍｍとは、ナイフ等で切れ込みを入れた際に多孔質塗布体の弾性によって切れ込みの壁面が接触している状態であり、髪の毛の本数が少ない場合にはより好ましい塗布性が得られる。
【００１８】
この毛髪狭持部２１を含む多孔質塗布体２０は、液体染毛料の蒸発抑制、使用部位のみを露出する構造とするために、先軸被覆体３０で被覆されるものであるが、少なくとも毛髪狭持部２１は多孔質塗布体２０に吸蔵される染毛料で染めたい髪の毛をしっかりと塗布することができるように露出する構造となっている。本実施形態では、多孔質塗布体２０に形成した切れ込み（スリット）部分が露出できるように、当該部分に該当する先軸被覆体３０の部分を開口構造としており、該先軸被覆体３０の開口に、前記毛髪狭持部２１へのガイド部３２、本実施形態では先軸被覆体３０が開口し、前記毛髪狭持部２１が露出している前記多孔質塗布体２０表面に、前記毛髪狭持部２１への側面視Ｖ字状のガイド部３２が設けられている。このガイド部３２を設けることにより、染めたい髪の毛を簡単に多孔質塗布体２０の毛髪狭持部２１に簡単に誘導して狭持せしめることができる。
更に、本実施形態では、先軸被覆体３０の外周形状は、使用性、狭持性を良好とする点から四角形形状（方形形状）に形成されている。
【００１９】
本実施形態の毛髪用塗布具Ａは、不使用時には、図２に示されるように、塗布具本体１０の先端にはキャップ体４０が嵌着され、少なくとも前記毛髪狭持部２１が覆われる構造となっている。これにより、開口面となる毛髪狭持部２１はキャップ体４０で覆われることとなるので、液体染毛料の付着を防止でき、また、液体染毛料の蒸発などを抑制することができることとなる。
【００２０】
本実施形態の毛髪用塗布具Ａでは、塗布具本体１０内に液体染毛料を吸蔵した液体吸蔵体１２の前部内には多孔質塗布体２０の細棒状の後端部２２が挿入等により当接されることにより、液体吸蔵体１２の液体染毛料が多孔質塗布体２０へ効率良く供給される構成となっている。
使用に際しては、白髪を染毛する場合は、使用者の発見した白髪を１〜５本程度、ガイド部３２を介して多孔質塗布体２０の毛髪狭持部２１に挟ませ、毛先付近〜毛根付近を往復して多孔質塗布体２０に吸蔵された黒髪用の液体染毛料を簡単に塗布させることができるものとなる。特に、毛先付近を毛髪狭持部２１で挟んで、毛先の方へ引き抜くようにスライドさせれば、手を汚すことなく、染毛料を不要に消費することなく、毛の先端まで難なくしっかりと好適な染毛料を塗布することができるもののとなる。
【００２１】
次に、図３は、本発明の毛髪用塗布具の実施形態の他例を示すものであり、（ａ）は正面図、（ｂ）は縦断面図、（ｃ）は塗布体部分を拡大した部分拡大正面図、（ｄ）は（ｃ）の縦断面図、（ｅ）は斜視図である。
なお、上記図１及び図２と同様の構造となるものは、同一の図示符号を支援してその説明を省略する。
【００２２】
この実施形態の毛髪用塗布具Ｂは、図３（ａ）〜（ｅ）に示すように、毛髪狭持部２１が多孔質塗布体２０に複数設けられている構造となるものであり、本実施形態では、毛髪狭持部２１が多孔質塗布体２０の上面、下面（底面）に二つ設けられている。具体的には、少なくとも毛髪狭持部２１、２１は多孔質塗布体２０に吸蔵される染毛料で染めたい髪の毛をしっかりと塗布することができるように露出する構造となっており、多孔質塗布体２０に形成した切れ込み（スリット）部分が露出できるように、当該部分に該当する先軸被覆体３０の部分を開口構造としており、該先軸被覆体３０、３０が上面と下面に開口し、前記毛髪狭持部２１、２１が露出している前記多孔質塗布体２０、２０の表裏面に、前記毛髪狭持部２１への側面視Ｖ字状のガイド部３２、３２が設けられる構造となっている。
【００２３】
本実施形態の毛髪用塗布具Ｂでは、毛髪狭持部２１、２１を多孔質塗布体２０の上下面に形成する構造となるので、染めたい髪の毛を各ガイド部３２、３２のいずれかを介して毛髪狭持部２１のいずれかに挟持することができるため、更に染毛作業が簡単かつ容易に行うことができるものとなる。
【００２４】
このように構成される本発明の毛髪用塗布具によれば、図１〜図３で示したように、数本ずつ少量の染毛が可能で、部分的な染毛は勿論、液体染毛料の組成をカラー染毛料などに変更すれば多色の、例えば、グラデーションとなるように染める、領域ごとに染め分ける等の作業が容易にできるものとなる。
また、液体染毛料が液体吸蔵体１３に吸蔵されているため、従来技術で記載の文献１等の直液塗布具のように、塗布液である液体染毛料が直流する心配が、かなり少ないといえ、更に、多孔質塗布体２０の先端が先軸被覆体３０に覆われており、該先軸被覆体３０の少なくとも毛髪狭持部２１のみが露出する構造となるため、より、塗布液である液体染毛料が直流する心配がなく、手を汚すことなく、染毛料を不要に消費することなく、好適な量となる染毛料を染めたい髪の毛にしっかりと塗布することができる毛髪用塗布具が得られるという特有の効果を奏するものとなる。
【００２５】
本発明の毛髪用塗布具は、上記実施形態で限定されるものでなく、本発明の要旨を変更しない範囲で種々の形態に変更することができるものである。
上記実施形態において、液体吸蔵体に吸蔵するものを液体染毛料としたが、液体毛髪用脱色剤としても良いものである。用いることができる液体毛髪用脱色剤としては、好適な配合組成、粘度とすることができ、特に限定されるものでなく、種々の公知、市販の液体毛髪用脱色剤を使用することができる。この液体毛髪用脱色剤を用いた毛髪用塗布具では、上記液体染毛料を用いた毛髪用塗布具と同様の特有の機能を発揮できるため、毛髪の１本〜複数本程度の部分的な脱色剤塗布が容易にできる毛髪用塗布具が得られるものとなる。
【００２６】
また、上記実施形態では、毛髪狭持部２１を多孔質塗布体の上面に一つ、又は上下面に二つ設ける形態を詳述したが、所定間隔毎に三つ、または、四つ設けることができ、更に、毛髪狭持部２１を多孔質塗布体の周面全体及びガイド部も周面全体に形成してもよく、この場合は、多孔質塗布体が円柱状又は角柱状であれば、周面のどこからでも染めたい髪の毛をガイド部を介して毛髪狭持部に挟持することができるため、更に染毛作業が容易となる。
更に、上記実施形態では、液体吸蔵体１３と多孔質塗布体２０は接触し、塗布液に対して毛細管力を持つものが連続した形としたが、例えば、この接触を解き、ここに塗布液に対して毛細管力を持たない終点検知管を挿入した構成としてもよい。この終点検知管の内部を塗布液で気泡の無いように満たし、液体吸蔵体１３と多孔質塗布体２０との間に配置することによっても、液体吸蔵体１３の毛細管力と多孔質塗布体２０の毛細管力とは互いに作用し合うので、上記の場合同様、直流の心配はない。この場合、終点検知管の内部の塗布液が無くなるのを観察することによって、液体吸蔵体１３に保持されていた塗布液が無くなったことを検知することが出来て便利である。
【００２７】
更にまた、前記液体吸蔵体１３を設けない構成、例えば、この液体吸蔵体１３の代わりに、毛細管力を持たない、チューブ、ピストン等による押し出し機構を備えた容器等を用いても、これら容器等の内部への空気置換が起きず、先軸被覆体３０が設けられる構成などに変更しても良いものである。
【実施例】
【００２８】
次に、実施例により、本発明を更に詳述するが、本発明は下記実施例等により限定されるものではない。
【００２９】
〔実施例１〕
下記構成となる図１及び図２に準拠する毛髪用塗布具を使用し、染毛料として、下記組成の液体染毛料を用いた。
（毛髪用塗布具の構成）
軸体：ＰＰ（ポリプロピレン）製、尾栓：ＰＰ製、先軸被覆体：ＰＰ製、キャップ体：ＰＰ製
液体吸蔵部材：ＰＥＴ（ポリエチレンテレフタレート）製繊維束（繊維：４デニール）、気孔率９０％、φ：５．４×４０ｍｍ
多孔質塗布体：ＰＥＴ製繊維束（繊維：２０デニール）、気孔率８５％、３．２×２．０×長さ４０ｍｍ
毛髪挟持部：切り込み深さ：２ｍｍ、長さ２ｍｍ、ガイド部：Ｖ字状、Ｖ字角度１２０°
【００３０】
（白髪用液体染毛料の組成：全量１００質量％）
エタノール                                      ４５．０質量％
水（精製水）                                    ４３．５質量％
ベンジルアルコール                                ５．０質量％
（アクリル酸アルキル／ジメチコン）コポリマー      ２．５質量％
乳酸                                              ３．０質量％
黒４０１（酸性染料）                              ０．２質量％
紫４０１（酸性染料）                              ０．３質量％
橙２０５（酸性染料）                              ０．５質量％
（毛髪用脱色剤の組成：全量１００質量％）
水（精製水）                                    ７０．０質量％
過酸化水素水（２０％）                          ２０．０質量％
ステアリルアルコール                              ５．０質量％
テトラデセンスルホン酸Ｎａ                        １．０質量％
乳酸                                              ４．０質量％
【００３１】
上記組成の液体染毛料を上記構成となる液体吸蔵部材に吸蔵させて毛髪用塗布具を得た。
この毛髪用塗布具を使用して、１本の白髪を染毛することを行った。使用者の発見した白髪（長さ１０ｃｍ程度）を１本を選り分け、当該髪の毛の先端を手で持ち、塗布具で当該髪の毛をガイド部を介して多孔質塗布体の毛髪狭持部に挟み込ませ、髪の毛を持ったまま毛根付近から毛先までスライドさせることで、１往復で十分で染毛でき、２〜３回往復させれば確実に染毛できた。染毛後、髪の毛を持った手を離し、塗布具を髪の毛を引っ張るように毛先から引き離すと、髪の毛を挟んでいるため、手を汚すことなく、染毛料を不要に消費することなく、毛先までしっかりと染毛できることを確認した。
また、上記液体染毛料を用いた毛髪用塗布具と同様にして、上記組成の毛髪用脱色剤を液体吸蔵部材に吸蔵させた毛髪用塗布具を作製して、１本の黒髪を脱色することを行ったところ、上記染毛作業と同様に、手を汚すことなく、脱色剤を不要に消費することなく、毛先までしっかりと脱色できることを確認した。これにより、毛髪用脱色剤を用いたものでも、毛髪の１本〜複数本程度の部分的な脱色剤塗布が容易にできる毛髪用塗布具が得られるものであった。
【産業上の利用可能性】
【００３２】
白髪の１本〜複数本程度の部分的な染毛、並びに、グラデーションとなるように染める領域ごとに髪の毛を多色に染め分ける等の塗布作業、および、毛髪の１本〜複数本程度の部分的な脱色剤塗布が容易にできる毛髪用塗布具が得られる。
【符号の説明】
【００３３】
Ａ  毛髪用塗布具
１０  塗布具本体
１１  貯留部
１３  液体吸蔵体
２０  多孔質塗布体
２１  毛髪狭持部
３０  先軸被覆体
３２  ガイド部
４０  キャップ体
【図１】
2013215320.tif 000003
【図２】
2013215320.tif 000004
【図３】
2013215320.tif 000005